(57)【要約】【課題】車両を降車することなく、煩わしいスイッチ操作も必要とすることなく、精度の良い認識率と素早い処理の音声認識により容易に店舗に対するオーダを可能とする。【解決手段】車両側情報通信システム１と店舗側の情報通信システム２とは、携帯電話網３を介して、それぞれに設けられている通信部４，５により情報を送受信可能に構成される。音声認識部６は、マイク７により入力されたドライバの音声を、音声認識し、ドライバのオーダを決定して店舗側情報通信システム２に送信する。ここで、音声認識は、音声認識部６に予め設定されている単語辞書と店舗側情報通信システム２から送信されてくる単語辞書を切替えながら行われ、また、ドライバの音声入力は、スピーカ８による音声出力と液晶ディスプレイ９によるガイド表示を基に対話型の方式で実行される。【選択図】図１
2006071793.tif 000002
【特許請求の範囲】
【請求項１】
予め設定した領域内での通信を可能とする通信網と、
上記通信網を介して情報の送受信を行う基地局と、
入力した音声を単語辞書を用いて情報として認識する車両に設けた音声認識手段と、
上記通信網を介して上記基地局との間で情報の送受信が自在な車両に設けた移動通信手段とを備えた車両の情報通信システムであって、
上記単語辞書は、上記基地局から上記通信網と上記移動通信手段を介して上記音声認識手段に設定自在であることを特徴とする車両の情報通信システム。
【請求項２】
上記通信網は、携帯電話網であることを特徴とする請求項１記載の車両の情報通信システム。
【請求項３】
上記通信網は、近距離無線通信網であることを特徴とする請求項１記載の車両の情報通信システム。
【請求項４】
上記基地局は店舗であって、上記単語辞書は該店舗毎に固有の単語辞書であることを特徴とする請求項１乃至請求項３の何れか一つに記載の車両の情報通信システム。
【請求項５】
上記単語辞書は、上記車両が設定領域内に入ることで、上記移動通信手段を介して上記音声認識手段にダウンロードされることを特徴とする請求項１乃至請求項４の何れか一つに記載の車両の情報通信システム。
【発明の詳細な説明】
【技術分野】
【０００１】
本発明は、車室内で発せられた音声を情報として認識し、この認識した情報を店舗と通信して所望の要求をかなえさせる車両の情報通信システムに関する。
【背景技術】
【０００２】
近年、車両においては、車両を駐車して車外に降車しなくても商品を購入できる、例えばファーストフード店等の店舗が多く整備されてきている。
【０００３】
例えば、特開２００２−３４２５９８号公報では、車両に乗車するユーザと店舗外で商品の売買を行える店舗外窓口に車両を誘導し、誘導された車両が店舗外窓口の所定距離範囲内に近付いたことを検出し、車両に対して店舗の商品メニューを送信し、車両において店舗から送信された商品メニューと注文画面を表示して、注文画面を操作し、注文内容を店舗に送信することで注文を行う技術が開示されている。
【特許文献１】特開２００２−３４２５９８号公報
【発明の開示】
【発明が解決しようとする課題】
【０００４】
ところで、近年、ドライバの利便性を図るため、煩わしいスイッチ入力等を省き、ドライバの発する音声を感知して、該当する車載装置の作動が行える様々なシステムが開発されている。従って、この音声認識の技術を商品のオーダに適用すれば、ドライバの利便性を一層向上させることができる。しかしながら、上述の特許文献１で示される技術が適用される店舗では、それぞれの店舗毎に作成したオリジナルな呼び方のメニューが存在し、また、メニューの変化も激しいことから、単純に音声認識の技術を適用することは、音声の認識率の悪化を招き実現性が困難であった。
【０００５】
本発明は上記事情に鑑みてなされたもので、車両を降車することなく、また、煩わしいスイッチ操作も必要とすることなく、精度の良い認識率と素早い処理の音声認識により容易に店舗に対するオーダを可能とする車両の情報通信システムを提供することを目的とする。
【課題を解決するための手段】
【０００６】
本発明は、予め設定した領域内での通信を可能とする通信網と、上記通信網を介して情報の送受信を行う基地局と、入力した音声を単語辞書を用いて情報として認識する車両に設けた音声認識手段と、上記通信網を介して上記基地局との間で情報の送受信が自在な車両に設けた移動通信手段とを備えた車両の情報通信システムであって、上記単語辞書は、上記基地局から上記通信網と上記移動通信手段を介して上記音声認識手段に設定自在であることを特徴としている。
【発明の効果】
【０００７】
本発明による車両の情報通信システムによれば、車両を降車することなく、また、煩わしいスイッチ操作も必要とすることなく、精度の良い認識率と素早い処理の音声認識により容易に店舗に対するオーダが可能となる。
【発明を実施するための最良の形態】
【０００８】
以下、図面に基づいて本発明の実施の形態を説明する。  
図１〜図６は本発明の実施の第１形態を示し、図１は車両の情報通信システム全体の概略構成図、図２は自車両と店舗の説明図、図３は音声認識によるオーダのプログラムのフローチャート、図４は液晶ディスプレイに表示される店舗一覧の説明図、図５はダウンロードされる単語辞書の説明図、図６は液晶ディスプレイに表示されるメニューの説明図である。
【０００９】
図１において、符号１は自車両に搭載される車両側情報通信システムの構成を示し、符号２は店舗側の情報通信システムの構成を示し、この車両側情報通信システム１と店舗側の情報通信システム２とは、通信網としての携帯電話網３を介して、それぞれに設けられている通信部４，５により情報を送受信可能に構成されている。
【００１０】
車両側情報通信システム１は、通信部４、音声認識部６、マイク７、スピーカ８、液晶ディスプレイ９を有して主要に構成されている。
【００１１】
通信部４は、アンテナ、送受信機等から構成されており、携帯電話網３を介して店舗側情報通信システム２の通信部５と情報の送受信を行って、音声認識部６に対する情報の入出力を行う移動通信手段として設けられている。
【００１２】
音声認識部６は、後述する音声認識によるオーダのプログラムに従って、マイク７により入力されたドライバ等の使用者の音声を、音声認識し、ドライバのオーダを決定して店舗側情報通信システム２に送信する音声認識手段として設けられている。ここで、音声認識は、音声認識部６に予め設定されている単語辞書と店舗側情報通信システム２から送信されてくる単語辞書を切替えながら行われ、また、ドライバの音声入力は、スピーカ８による音声出力（音声ガイド）と液晶ディスプレイ９によるガイド表示を基に、対話型の方式で実行されるようになっている。尚、液晶ディスプレイ９に表示されるガイド表示等の情報は、店舗側情報通信システム２から必要に応じて送信される。
【００１３】
店舗側情報通信システム２は、基地局として設けられており、アンテナ、送受信機等から成る通信部５と、この通信部５を備えた店舗１０と、サーバ１１を備えて構成されている。
【００１４】
店舗１０は、本実施の第１形態では、例えば、図２に示すように、複数（ここでは、４つの店舗Ａ、Ｂ、Ｃ、Ｄ）の店舗を無線ＬＡＮ（Local Area Network ）等で連結した店舗群であり、その中の中心となる店舗（図２では、店舗Ａ）に、サーバ１１が設けられている。そして、店舗側情報通信システム２は、自車両Ｖ０に搭載された車両側情報通信システム１に対し、車両側情報通信システム１からの要求に応じて、各店舗名リストと各店舗毎に固有の画面情報と単語辞書とを送信可能になっており、車両側情報通信システム１からオーダの情報が発信された場合には、そのオーダの情報を該当する店舗に送信して、オーダを受信した店舗は、そのオーダに応じた商品（料理）を調理可能になっている。
【００１５】
次に、車両側情報通信システム１で実行される音声認識によるオーダのプログラムについて、図３のフローチャートを基に説明する。  
まず、ステップ（以下、「Ｓ」と略称）１０１で、ドライバが音声入力、例えば、「食事のオーダをしたい」等を入力すると、Ｓ１０２に進み、店舗側情報通信システム２から店舗情報のダウンロードが行われ、Ｓ１０３に進んで、例えば、図４に示すような、ファミリーレストラン、ファーストフード等に分類された店舗情報の画面表示が行われる。
【００１６】
次いで、Ｓ１０４に進み、予め録音しておいた音声出力、例えば、「店舗名を言って下さい」等のガイド音声が出力される。
【００１７】
その後、Ｓ１０５に進んで、ドライバにより音声入力、例えば、「ファミリーレストランのＡＡＡＡＡ」という音声が入力されると、Ｓ１０６に進み、「ファミリーレストランのＡＡＡＡＡ」のメニューをオーダするための音声認識用の単語辞書が店舗側情報通信システム２のサーバ１１からダウンロードされる。この単語辞書は、例えば、図５に示すように、メニューの種別毎に各メニューの名称と員数、「お願い」等のオーダ時の対話シーンに特有の言葉がメモリされて構成されている。
【００１８】
次に、Ｓ１０７に進み、「ファミリーレストランのＡＡＡＡＡ」のメニューをオーダするための、その店舗固有の画面情報が店舗側情報通信システム２のサーバ１１からダウンロードされる。この画面情報は、例えば、図６に示すように、ダウンロードした単語辞書の単語がメニューとして表示される画面であり、各料理の種別毎にタブで区切られ、視認性を向上して形成されている。また、その店固有のものであるので、例えば、フランス料理店の場合は、フランスの景色をデザインしたものや、ファーストフード店の場合では、その店舗のオリジナルキャラクター等を表示して購入欲をそそるようなデザインが施される。
【００１９】
次に、Ｓ１０８に進み、Ｓ１０６でダウンロードした単語辞書が通常の単語辞書に替えて設定され、Ｓ１０９に進んで、現在表示している店舗一覧の画面から、Ｓ１０７でダウンロードした店舗固有の画面情報に切替える。
【００２０】
次いで、Ｓ１１０に進み、予め録音しておいた音声出力、例えば、「オーダを言って下さい」等のガイド音声が出力される。
【００２１】
そして、Ｓ１１１に進み、ドライバにより音声入力、例えば、「ＰＰ１を１つ、ＰＰ２を２つ、お願い」が行われる。
【００２２】
次いで、Ｓ１１２に進み、Ｓ１１１での音声入力によるオーダの確認音声が出力される。例えば、「ＰＰ１を１つ、ＰＰ２を２つ、ですね」。
【００２３】
そして、Ｓ１１３に進み、ドライバにより確認音声、例えば、「はい」或いは「いいえ」が入力されると、Ｓ１１４に進み、Ｓ１１３で入力されたドライバによる確認音声の判定が行われ、オーダが正しければ（「はい」であれば）、Ｓ１１５に進み、オーダが正しくなければ（「いいえ」であれば）、再び、Ｓ１１０からの処理を繰り返す。
【００２４】
Ｓ１１４の判定の結果、オーダが正しく、Ｓ１１５に進むと、メニューを区分けしているタブが最後か否か判定される。
【００２５】
そして、タブが最後でない場合、すなわち、図６の例で説明すると、「フード」、「ドリンク」の場合は、Ｓ１１６に進み、タブを次のタブに切替え、その切りえたタブのメニューにてＳ１１０からの処理を繰り返す。
【００２６】
また、Ｓ１１５の判定の結果、タブが最後の場合、すなわち、図６の例で説明すると、「他」の場合には、Ｓ１１７に進み、オーダ終了確認音声、例えば、「オーダの訂正をしますか」を出力する。
【００２７】
そして、Ｓ１１８に進み、ドライバによるオーダ終了確認音声、例えば、「はい」或いは「いいえ」が入力されると、Ｓ１１９に進み、Ｓ１１８で入力されたドライバによるオーダ終了確認音声の判定が行われ、オーダの訂正が有る（「はい」であれば）場合は、再び、Ｓ１０９からの処理を繰り返す。逆に、オーダの訂正が無い（「いいえ」であれば）場合は、Ｓ１２０に進み、決定したオーダ情報を店舗側情報通信システム２に送信してプログラムを抜ける。これにより、店舗側情報通信システム２が車両側情報通信システム１からオーダ情報を受信すると、そのオーダ情報を該当する店舗に送信して、オーダ情報を受信した店舗は、そのオーダに応じた料理を調理して、ドライバが到着した際に、直ぐ、料理を出すことが可能になる。尚、費用の決済は、ドライバがオーダ情報を発信して店舗側情報通信システム２がオーダ情報を受信した際に、周知の電子決済にて引き落とすことが望ましい。
【００２８】
このように、本実施の第１形態によれば、ドライバは車両に乗車しているままで音声によりオーダできるので、システムの操作性が著しく改善できる。この際、音声認識に用いる単語辞書は、店舗から送信されてくるものを用いるようになっているので、各店舗毎に特有の商品を、たとえ造語であっても、また、変更した場合であっても、高い認識率で素早く認識することができる。
【００２９】
次に、図７及び図８は本発明の実施の第２形態を示し、図７は自車両と店舗の説明図、図８は音声認識によるオーダのプログラムのフローチャートである。尚、本実施の第２形態は、近距離無線通信網を利用して１つの店舗と通信し、また、店舗をドライブスルー型の店舗として構成した点が前記第１形態とは異なり、他の構成は同様であるので同じ符号を記し説明は省略する。
【００３０】
すなわち、図７に示すように、店舗１０は、その周囲に入口から出口にかけて車両が順番を待ちながら通過可能なスペースが設けられている。そして、車両が入口から入ると、店舗側情報通信システム２の通信部５から送信されてくるブロードキャストデータ（本実施形態で説明するシステムをサポートしている車両に送信されるデータ）を車両側情報通信システム１（車両のみ示す：詳細は第１形態と同様）で受信して、後述の音声認識によるオーダのプログラムに従って、音声認識によるオーダを行えるようになっている。
【００３１】
次に、車両側情報通信システム１で実行される音声認識によるオーダのプログラムについて、図３のフローチャートを基に説明する。  
車両が入口に入ると、Ｓ２０１で、店舗側情報通信システム２の通信部５からブロードキャストデータが受信され、Ｓ２０２で受信したブロードキャストデータに対しての返答データが送信される。
【００３２】
次いで、Ｓ２０３に進み、メニューをオーダするための音声認識用の単語辞書が店舗側情報通信システム２のサーバ１１からダウンロードされる。この単語辞書は、前記第１形態で説明した、例えば、図５に示すように、メニューの種別毎に各メニューの名称と員数、「お願い」等のオーダ時の対話シーンに特有の言葉がメモリされて構成されている。
【００３３】
次に、Ｓ２０４に進み、ニューをオーダするための、その店舗固有の画面情報が店舗側情報通信システム２のサーバ１１からダウンロードされる。この画面情報は、前記第１形態で説明した、例えば、図６に示すように、ダウンロードした単語辞書の単語がメニューとして表示される画面であり、各料理の種別毎にタブで区切られ、視認性を向上して形成されている。また、その店固有のものであるので、例えば、ファーストフード店の場合では、その店舗のオリジナルキャラクター等を表示して購入欲をそそるようなデザインが施されている。
【００３４】
次に、Ｓ２０５に進み、Ｓ２０３でダウンロードした単語辞書が通常の単語辞書に替えて設定され、Ｓ２０６に進んで、現在の表示画面から、Ｓ２０４でダウンロードした店舗固有の画面情報に切替える。
【００３５】
次いで、Ｓ２０７に進み、予め録音しておいた音声出力、例えば、「オーダを言って下さい」等のガイド音声が出力される。
【００３６】
そして、Ｓ２０８に進み、ドライバにより音声入力、例えば、「ＰＰ１を１つ、ＰＰ２を２つ、お願い」が行われる。
【００３７】
次いで、Ｓ２０９に進み、Ｓ２０８での音声入力によるオーダの確認音声が出力される。例えば、「ＰＰ１を１つ、ＰＰ２を２つ、ですね」。
【００３８】
そして、Ｓ２１０に進み、ドライバにより確認音声、例えば、「はい」或いは「いいえ」が入力されると、Ｓ２１１に進み、Ｓ２１０で入力されたドライバによる確認音声の判定が行われ、オーダが正しければ（「はい」であれば）、Ｓ２１２に進み、オーダが正しくなければ（「いいえ」であれば）、再び、Ｓ２０７からの処理を繰り返す。
【００３９】
Ｓ２１１の判定の結果、オーダが正しく、Ｓ２１２に進むと、メニューを区分けしているタブが最後か否か判定される。
【００４０】
そして、タブが最後でない場合、すなわち、図６の例で説明すると、「フード」、「ドリンク」の場合は、Ｓ２１３に進み、タブを次のタブに切替え、その切りえたタブのメニューにてＳ２０７からの処理を繰り返す。
【００４１】
また、Ｓ２１２の判定の結果、タブが最後の場合、すなわち、図６の例で説明すると、「他」の場合には、Ｓ２１４に進み、オーダ終了確認音声、例えば、「オーダの訂正をしますか」を出力する。
【００４２】
そして、Ｓ２１５に進み、ドライバによるオーダ終了確認音声、例えば、「はい」或いは「いいえ」が入力されると、Ｓ２１６に進み、Ｓ２１５で入力されたドライバによるオーダ終了確認音声の判定が行われ、オーダの訂正が有る（「はい」であれば）場合は、再び、Ｓ２０６からの処理を繰り返す。逆に、オーダの訂正が無い（「いいえ」であれば）場合は、Ｓ２１７に進み、決定したオーダ情報を店舗側情報通信システム２の通信部５に送信してプログラムを抜ける。これにより、店舗側情報通信システム２が車両側情報通信システム１からオーダ情報を受信すると、そのオーダに応じた料理を調理準備して、ドライバが出口に到達した際に、ドライバに渡す。尚、費用の決済は、ドライバがオーダ情報を発信して店舗側情報通信システム２がオーダ情報を受信した際に、周知の電子決済にて引き落とすようにしても良く、或いは、出口で商品と引き替えとしても良い。
【００４３】
このように、本実施の第２形態によれば、前記第１形態と同様、ドライバは車両に乗車しているままで音声によりオーダできるので、システムの操作性が著しく改善できる。この際、音声認識に用いる単語辞書は、店舗から送信されてくるものを用いるようになっているので、各店舗毎に特有の商品を、たとえ造語であっても、また、変更した場合であっても、高い認識率で素早く認識することができる。
【００４４】
尚、上述の第１、第２の実施形態は、共に、料理を商品とする店舗について例示したが、これに限るものではない。例えば、第１形態において、店舗を衣料店とし、メニューを紳士服、女性服、Ｔシャツ、Ｙシャツ等に区分して、ドライバが到着する前にある程度の要望した衣服を準備するようにすることもできる。同様に、小物店でも適用できる。更に、第２形態において、店舗を銀行等のキャッシュディスペンサとし、様々な銀行手続を行うことにも応用できる。
【図面の簡単な説明】
【００４５】
【図１】本発明の実施の第１形態による、車両の情報通信システム全体の概略構成図
【図２】同上、自車両と店舗の説明図
【図３】同上、音声認識によるオーダのプログラムのフローチャート
【図４】同上、液晶ディスプレイに表示される店舗一覧の説明図
【図５】同上、ダウンロードされる単語辞書の説明図
【図６】同上、液晶ディスプレイに表示されるメニューの説明図
【図７】本発明の実施の第２形態による、自車両と店舗の説明図
【図８】同上、音声認識によるオーダのプログラムのフローチャート
【符号の説明】
【００４６】
１    車両側情報通信システム
２    店舗側情報通信システム（基地局）
３    携帯電話網（通信網）
４    通信部（移動通信手段）
５    通信部
６    音声認識部（音声認識手段）
７    マイク
８    スピーカ
９    液晶ディスプレイ
１０    店舗
１１    サーバ
代理人    弁理士    伊  藤    進
【図１】
2006071793.tif 000003
【図２】
2006071793.tif 000004
【図３】
2006071793.tif 000005
【図４】
2006071793.tif 000006
【図５】
2006071793.tif 000007
【図６】
2006071793.tif 000008
【図７】
2006071793.tif 000009
【図８】
2006071793.tif 000010